(57)【特許請求の範囲】
【請求項１】
データパケットチャネルを取得するために、移動局から基地局に、要求メッセージを送信し、
前記データパケットチャネルを前記取得するために、前記基地局から前記移動局に、割当てメッセージを送信し、
前記基地局から基地局コントローラに、前記基地局コントローラに前記データパケットチャネルを前記取得する手順を通知する通知メッセージを送信し、
前記データパケットチャネルを前記取得することを完了し、
前記移動局から前記基地局コントローラに前記データパケットチャネルを前記取得することの成功完了を示す表示メッセージを送信し、
前記通知メッセージを受信した後に終了した時間を測定するために前記基地局コントローラでタイマを起動し、
前記表示メッセージを受信する前にタイマ閾値に関して前記タイマの終了を検出することに応じて前記基地局コントローラから前記基地局に無線リンク解放メッセージを送信する
ことを具備する通信システムのための方法。
【請求項２】
前記基地局コントローラでメッセージ整合性についての前記表示メッセージを処理することをさらに具備する請求項１記載の方法。
【請求項３】
前記メッセージ整合性手順をパスすることにおける前記移動局の失敗を検出することに応じて前記基地局コントローラから前記基地局に無線リンク解放メッセージを送信することをさらに具備する請求項２記載の方法。
【請求項４】
前記データパケットチャネルを前記取得することに割り当てられた資源を解放することをさらに具備する請求項１記載の方法。
【請求項５】
前記基地局コントローラでセキュリティフィーチャについての前記表示メッセージを処理することをさらに具備する請求項１記載の方法。
【請求項６】
前記セキュリティフィーチャ手順をパスすることにおける前記移動局の失敗を検出することに応じて前記基地局コントローラから前記基地局に無線リンク解放メッセージを送信することをさらに具備する請求項５記載の方法。
【請求項７】
前記データパケットチャネルを前記取得することに割り当てられた資源を解放することをさらに具備する請求項６記載の方法。
【請求項８】
データパケットチャネルを取得するための前記要求メッセージへの応答のために前記基地局で一部の通信資源を割り当てる
ことをさらに具備する請求項１記載の方法。
【請求項９】
データパケットチャネルを取得するために、移動局から基地局に、要求メッセージを送信するための手段と、
前記データパケットチャネルを前記取得するために、前記基地局から前記移動局に、割当てメッセージを送信するための手段と、
前記基地局から基地局コントローラに、前記基地局コントローラに前記データパケットチャネルを前記取得する手順を通知する通知メッセージを送信するための手段と、
前記データパケットチャネルを前記取得することを完了するための手段と、
前記移動局から前記基地局コントローラに前記データパケットチャネルを前記取得することの成功完了を示す表示メッセージを送信するための手段と、
前記通知メッセージを受信した後に終了した時間を測定するために前記基地局コントローラでタイマを起動するための手段と、
前記表示メッセージを受信する前にタイマ閾値に関して前記タイマの終了を検出することに応じて前記基地局コントローラから前記基地局に無線リンク解放メッセージを送信するための手段と
を具備する通信システムのための装置。
【請求項１０】
前記基地局コントローラでメッセージ整合性についての前記表示メッセージを処理するための手段
をさらに具備する請求項９記載の装置。
【請求項１１】
前記メッセージ整合性手順をパスすることにおける前記移動局の失敗を検出することに応じて前記基地局コントローラから前記基地局に無線リンク解放メッセージを送信するための手段
をさらに具備する請求項１０記載の装置。
【請求項１２】
前記データパケットチャネルを前記取得することに割り当てられた資源を解放するための手段
をさらに具備する請求項９記載の装置。
【請求項１３】
前記基地局コントローラでセキュリティフィーチャについての前記表示メッセージを処理するための手段
をさらに具備する請求項９記載の装置。
【請求項１４】
前記セキュリティフィーチャ手順をパスすることにおける前記移動局の失敗を検出することに応じて前記基地局コントローラから前記基地局に無線リンク解放メッセージを送信するための手段
をさらに具備する請求項１３記載の装置。
【請求項１５】
前記データパケットチャネルを前記取得することに割り当てられた資源を解放するための手段
をさらに具備する請求項１４記載の装置。
【請求項１６】
データパケットチャネルを取得するための前記要求メッセージへの応答のために前記基地局で一部の通信資源を割り当てるための手段
をさらに具備する請求項９記載の装置。
【発明の詳細な説明】
【関連出願】
【０００１】
この出願は米国仮出願番号第６０／４６９，９７６号、２００３年５月１２日提出、タイトル“通信システムにおいて移動局の状態を制御して運用するための方法と装置（Ｍｅｔｈｏｄ  ａｎｄ  Ａｐｐａｒａｔｕｓ  ｆｏｒ  Ｃｏｎｔｒｏｌｌｉｎｇ  ａｎｄ  Ｏｐｅｒａｔｉｎｇ  Ｓｔａｔｅ  ｏｆ  Ｍｏｂｉｌｅ  Ｓｔａｔｉｏｎ  ｉｎ  ａ  Ｃｏｍｍｕｎｉｃａｔｉｏｎ  Ｓｙｓｔｅｍ）”への優先権を主張する。
【技術分野】
【０００２】
本発明は一般に通信の分野に関し、そしてより詳しくは無線通信に関する。
【背景技術】
【０００３】
移動局と基地局との間の通路を正常に制御するプロトコルのシステムは通信システム内で動作することができる。そのようなプロトコルは承認された標準団体によって公布された１組の標準内で開示される。このプロトコルは移動局と基地局との間の通信リンクをセットアップするための１組の手順を定義することができる。通常、そのような手順は確実なそして安全な通信リンクを確立するために提供される。１リンクを確立するための手順は、ウォルシュ符号割当て、データレートおよびパワーレベル割当て、等のような資源を割り当てることを必要とする可能性がある。さらに、通信リンクを確立するための要求は、そのリンクの確立を必要としているエンドユーザ装置の整合性(integrity)について検査するために処理される。さらに、リンクは通信を確保するためのセキュリティフィーチャ(security  feature)を有することを必要とする可能性がある。
【０００４】
データの通信のためのシステムは高速リンクセットアップ手順を提供することによって大いに利益を得る。そのようなシステムでは、移動体ユーザは非常に短時間の期間で通信リンクをセットアップすることができ、従って通信システムのユーザ経験を高めることができる。それゆえ、通信システムにおいては高速リンクセットアップを提供することに関して要望がある。
【発明の開示】
【０００５】
[発明の概要]
通信システムのための方法および装置は、データパケットチャネルを取得するための、要求メッセージを送信すること、割当てメッセージを送信すること、および基地局から基地局コントローラに通知メッセージを送信することによって移動局のために高速リンクセットアップを提供し、ここにおいて通知メッセージは基地局コントローラにデータパケットチャネルを取得するための手順を通知する。移動局はデータパケットチャネルを取得した後にデータパケットチャネルを取得することの成功完了を示す表示メッセージを移動局から基地局コントローラに送信する。基地局コントローラは基地局コントローラでのメッセージ整合性についての表示メッセージを処理する。無線リンク解放メッセージは、メッセージ整合性手順をパスすることにおける移動局の失敗を検出することに応じて基地局コントローラから基地局に送信される。データパケットチャネルを取得することに割り当てられた資源はそれに応じて解放される。さらに、表示メッセージは基地局コントローラでセキュリティフィーチャについて処理される。無線リンク解放メッセージは、セキュリティフィーチャ手順をパスすることにおける移動局の失敗を検出することに応じて基地局コントローラから基地局に送信され、そして割り当てられた資源はそれに応じて解放される。基地局で利用できる一部の通信資源はデータパケットチャネルを取得するための要求メッセージへの即時応答のために割り当てられる。
【０００６】
本発明の特徴、目的、および長所は、ここでおよび全体を通して付記される参照符号を有する図面とともに、下に述べる詳細説明からさらに明白になるであろう。
【発明を実施するための最良の形態】
【０００７】
通常上述の、この発明の種々の局面は多数の通信システム運用エンティティ上のリンクセットアップ手順の種々の部分の区切りを好都合に決定することによって通信システム内の基地局と移動局との間の通信リンクの高速セットアップを提供する。この中に記述された１つまたはそれ以上の例示的な実施形態はディジタル無線データ通信システムの脈絡で述べられる。この脈絡内での使用が有利である一方で、この発明の種々の実施形態は種々の環境または構成内に組み込まれることができる。一般に、この中に記述された種々のシステムはソフトウェア制御のプロセッサ、集積回路、または離散論理(discrete  logic)を使用して形成されることができる。アプリケーションの全体を通して参照される可能性があるデータ、指示、命令、情報、信号、記号、およびチップは、電圧、電流、電磁波、磁界または粒子、光学界または粒子、あるいはそれの組み合わせによって好都合に表される。さらに、各ブロック図内に示されたブロックはハードウェアまたは方法のステップを表すことができる。
【０００８】
より詳しくは、この発明の種々の実施形態は電気通信工業協会（ＴＩＡ）および他の標準機構によって公布された種々の標準類内で概説され開示された通信標準に従って動作する無線通信システム内に組み込まれることができる。そのような標準類は、すべてが引用されてこの中に組み込まれた、ＴＩＡ／ＥＩＡ−９５標準、ＴＩＡ／ＥＩＡ−ＩＳ−２０００標準、ＩＭＴ−２０００標準、ＵＭＴＳおよびＷＣＤＭＡ標準、ＧＳＭ標準を含む。この標準類のコピーは、米国、ＶＡ２２２０１，アーリントン，ウイルソンブールバール２５００、ＴＩＡ，標準類および技術部への書面によって得られることができる。引用されてこの中に組み込まれた、通常ＵＭＴＳ標準として識別される標準は、フランス、バルボンヌ，ルシオレ・ソフィア  アンチボリのルート６５０，３ＧＰＰサポート事務局にコンタクトすることによって得られることができる。
【０００９】
図１はこの発明の種々の実施形態を組み込むと同時に符号分割多重アクセス（ＣＤＭＡ）通信システム標準およびＧＳＭ標準のいずれかに従って動作することのできる通信システム１００の一般的ブロック図を示す。通信システム１００はデータの、またはデータおよび音声の通信用であることができる。通常、通信システム１００は、移動局（ＭＳ）１０２−１０４のような多数の移動局間の、およびＭＳ１０２−１０４と公衆用電話交換およびデータネットワーク１０５との間の通信リンクを供給する基地局（ＢＳ）１０１を含む。種々の仕様書では、ＭＳはユーザ装置（ＵＥ）と呼ばれ、そしてＢＳはノードＢと呼ばれてもよい。したがって、そのような術語はこの発明の種々の局面から逸脱すること無しに置き換え可能であり得る。ＢＳ／ノードＢ１０１は、基地トランシーバシステムおよびアンテナシステムのような、多数のコンポーネントを含んでもよい。簡単のため、そのようなコンポーネントは図示されない。
【００１０】
ＢＳ／ノードＢ１０１は基地局コントローラシステム（ＢＳＣ）１９９を介して、他のＢＳ／ノードＢ、例えばＢＳ／ノードＢ１６０と通信していてもよい。ＢＳＣ１９９は種々の標準類では無線ネットワークコントローラ（ＲＮＣ）と呼ばれてもよい。ＢＳＣ／ＲＮＣ１９９は通信システム１００の種々の動作局面を、そしてネットワーク１０５とＢＳ／ノードＢ１０１および１６０との間のバックホール上の通信に関して制御することができる。ＢＳ／ノードＢ１０１はＢＳ／ノードＢ１０１から送信された順方向リンク信号によってそれのカバレッジエリア内にある各移動局と通信する。ＭＳ／ＵＥ１０２−１０４に対して向けられた順方向リンク信号は順方向リンク信号１０６を形成するために合計されてもよい。順方向リンク信号１０６を受信しているＭＳ／ＵＥ１０２−１０４の各々はそれの意図された受信情報を抽出するために順方向リンク信号１０６を復号化する。ＢＳ／ノードＢ１６０はまたＢＳ／ノードＢ１６０から送信された順方向リンク信号によってそれのカバレッジエリア内にある移動局とも通信することができる。ＭＳ／ＵＥ１０２−１０４は類似の逆方向リンクによってＢＳ／ノードＢ１０１および１６０と通信する。各逆方向リンクは、それぞれ、移動局１０２−１０４についての逆方向リンク信号１０７−１０９のような、逆方向リンク信号によって維持される。逆方向リンク信号１０７−１０９はまた、１つのＢＳ／ノードＢに向けられることができるが、もう１つのＢＳ／ノードＢで受信されることもできる。この発明の種々の局面は通信システム１００の整合性およびセキュリティフィーチャに従う一方で急速な手法でＭＳ／ＵＥとＢＳ／ノードＢとの間のリンクを確立するために提供する。
【００１１】
図２を参照すると、ＭＳ／ＵＥ、ＢＳ／ノードＢ、およびＢＳＣ／ＲＮＣ１９９の間で通信される通信リンクを確立するためのわずかな例示的メッセージのフローチャート２００が示される。通常、リンクをセットアップすることは少なくとも３つの別個の動作を含む。第１の動作は、ウォルシュ符号割当て、データレート、通信レイヤ２構成、等のようなチャネル資源の割当てである。パワーレベルは典型的に閉ループパワー制御を介してＢＳ／ノードＢによって直接管理され、そして割り当てられる。第２の動作は通信サービスを受けるべくシステムにアクセスするために要求メッセージ（メッセージ整合性機能）を認証することである。第３の動作は通信リンクのセキュリティフィーチャを提供するためにある。これら３つの動作は１００乃至４００ミリ秒のオーダの時間を要する。そのように、ＢＳ／ノードＢを有するリンクを確立することは多少の時間を要する可能性がある。ＭＳ／ＵＥは通信リンクを確立することを開始するためにＢＳ／ノードＢに要求を送ってもよい。そのような要求メッセージは以前にＢＳ／ノードＢから受信されたページメッセージ（図示せず）に基づいて送られることができる。ＢＳ／ノードＢは要求メッセージをＢＳＣ／ＲＮＣにパスする。通信リンクを確立するのに必要なすべての構成パラメータを定義するための処理を完了するために、１つまたはそれ以上の通信がＢＳＣ／ＲＮＣとＢＳ／ノードＢとの間で起こる可能性がある。ＢＳＣ／ＲＮＣは構成メッセージを発生する。ＢＳ／ノードＢは構成メッセージをＭＳ／ＵＥに送る。ＭＳ／ＵＥが構成メッセージを受信した後、ＭＳ／ＵＥはデータパケットチャネル（ＤＰＣＨ）を取得するための処理を始め、そしてＤＰＣＨを取得するための処理が成功裡に完了した後に構成完了メッセージを発生して送出する。その間に、ＢＳＣ／ＲＮＣはタイマを起動する。ＢＳＣ／ＲＮＣは通常タイマによって測定された時間周期以内に構成完了メッセージを受信することを期待する。構成完了メッセージを受信した後に、ＢＳＣ／ＲＮＣはメッセージ整合性を確認してタイマを止める。もしもメッセージの整合性を失敗すると、そのメッセージは捨てられ（無視され）る。もしもタイマが終了すると、ＢＳＣ／ＲＮＣはＭＳ／ＵＥを有するリンクを終端するために１メッセージ（図示せず）をＢＳ／ノードＢに送るであろう。それに応じて、ＢＳ／ノードＢはＭＳ／ＵＥに送信することを停止して、逆方向リンク上のＤＰＣＨでの受信を停止する。結果としてＭＳ／ＵＥは取得されたＤＰＣＨを使用することができない。
【００１２】
図３を参照すると、メッセージのフローチャート３００は、急速な手法で通信リンクを確立するための種々のリンクセットアップ動作を区切らせるこの発明の種々の局面に従ってＭＳ／ＵＥ、ＢＳ／ノードＢ、およびＢＳＣ／ＲＮＣの間で通信されるメッセージのフローを提供する。この発明の種々の局面に従って、チャネル資源割当て、要求メッセージを認証するおよびセキュリティフィーチャを提供する動作は通信システムにおいて１つ以上のエンティティ上で区切られる。１つの例示的な実施形態では、チャネル資源割当てはＢＳ／ノードＢによって実行され、一方メッセージ整合性機能により要求メッセージを認証するおよびセキュリティフィーチャを提供する動作はＢＳＣ／ＲＮＣによって実行される。区切られた動作は同時にまたはオーバーラップした時間周期で、あるいは別個の時間で実行されてもよい。メッセージフロー３００に従って、ＭＳ／ＵＥは要求メッセージをＢＳ／ノードＢに送る。ＢＳ／ノードＢは割当て情報を緊急にＭＳ／ＵＥに送り、それにＤＰＣＨを取得するために割り当てられた資源について報告する。同時にまたはすぐ後で、ＢＳ／ノードＢはＭＳ／ＵＥがＤＰＣＨを取得することによりリンクをセッティングする処理中であるＢＳＣ／ＲＮＣに通知メッセージを送る。１度ＢＳＣ／ＲＮＣがこの通知メッセージを受信すると、ＢＳＣ／ＲＮＣはタイマを起動する。タイマは通知メッセージが受信される時刻から、ＭＳ／ＵＥがＤＰＣＨを成功裡に取得した時から表示メッセージが受信されるまでの経過時間の量を計算する。１度表示メッセージが受信されると、ＢＳＣ／ＲＮＣはその整合性を確認し、そしてセキュリティフィーチャ動作を実行することができる。もしもタイマ周期が終了する前に表示メッセージがＭＳ／ＵＥから受信されなければ、整合性確認およびセキュリティフィーチャ動作を実行する必要はない。さらに、もしもメッセージ整合性が失敗すれば、そのメッセージは捨てられ（無視され）、そしてもしもタイマが終了すれば、ＢＳＣ／ＲＮＣはＭＳ／ＵＥに割り当てられた無線リンク資源を解放するようにＢＳ／ノードＢにメッセージを送る。そのような場合には、ＭＳ／ＵＥはＢＳ／ノードＢとの通信を続けることはできない。
【００１３】
この発明の種々の局面に従うと、ＭＳ／ＵＥはまたＢＳＣ／ＲＮＣにＭＳ／ＵＥの整合性を確認するためのおよび通信にセキュリティフィーチャを提供するための処理を完了させる一方で非常に早くＤＰＣＨを取得することによりリンクをセットアップすることができる可能性がある。さらに、もしも通信資源がＭＳ／ＵＥからの要求の時刻に欠乏しており、そしてＭＳ／ＵＥがＤＰＣＨを取得することができないならば、資源の使用不能(unavailability)はすべての動作がＤＰＣＨを取得することを試みる前に実行されねばならなかったかどうかよりもさらにタイムリーな手法でＭＳ／ＵＥに明らかになる可能性がある。そのような場合には、ＭＳ／ＵＥは最大数のそのようなメッセージが送られるまで、または最大数の送信をしつくす前に割当てメッセージが受信されるまで、要求メッセージを送ることを繰り返してもよい。整合性およびセキュリティフィーチャを検査するための処理はＭＤ／ＵＥがＤＰＣＨを取得した通知を受信した後に実行される。
【００１４】
ＢＳ／ノードＢ１０１と１６０とは同時に共通のＭＳ／ＵＥに通信することができる。例えば、ＭＳ／ＵＥ１０２はＢＳ／ノードＢ１０１および１６０にきわめて接近しており、それはＢＳ／ノードＢ１０１および１６０の両者との通信を維持することができる。順方向リンクでは、ＢＳ／ノードＢ１０１は順方向リンク信号１０６上に、そしてＢＳ／ノードＢ１６０は順方向リンク信号１６１上に送信する。逆方向リンクでは、ＭＳ／ＵＥ１０２はＢＳ／ノードＢ１０１および１６０の両者によって受信されるべき逆方向リンク信号１０７上に送信する。ＭＳ／ＵＥ１０２にデータのパケットを送信することに関しては、ＢＳ／ノードＢ１０１および１６０の１つはデータのパケットをＭＳ／ＵＥ１０２に送信するために選択されることができる。逆方向リンクでは、ＢＳ／ノードＢ１０１および１６０の両者はＭＳ／ＵＥ１０２からのトラフィックデータ送信を復号化することを試みることができる。逆方向および順方向リンクのデータレートとパワーレベルとは、基地局と移動局との間のチャネル状態に従って維持されることができる。したがって、そのような場合について、ＢＳＣ／ＲＮＣ１９９はＢＳ／ノードＢ１０１および１６０の両者の通信資源を管理する必要がある。よって、ＢＳ／ノードＢ１０１および１６０によって供給された通信資源上で制御のレベルを維持するために、ＢＳＣ／ＲＮＣ１９９はＢＳ／ノードＢによる自主的な制御のための各ＢＳ／ノードＢ内の使用可能な資源の一部を割り当てる。そのような一部の資源は高速セットアップ資源として標記されることができる。したがって、ＢＳ／ノードＢがＭＳ／ＵＥからリンクセットアップについての要求メッセージを受信する時に、ＢＳ／ノードＢは高速セットアップ資源からＭＳ／ＵＥへ資源を割り当てる。周期的に、ＢＳＣ／ＲＮＣ１９９は通信システム１００内の全ＢＳ／ノードＢ中で使用できる資源を釣り合わせるべく調整する。
【００１５】
通常、メッセージ整合性はＭＳ／ＵＥとＢＳ／ノードＢとの間のデータの通信のために必要となる。ＭＳ／ＵＥとＢＳ／ノードＢとの間で通信された１つまたはそれ以上のメッセージはＭＳ／ＵＥがＤＰＣＨを取得する間にメッセージ整合性の保護無しに作られる。ＭＳ／ＵＥから送信された表示メッセージは通信システムのメッセージ整合性フィーチャに従って処理される。したがって、ＭＳ／ＵＥはメッセージ整合性手順に従って表示メッセージを発生して処理する必要がある。メッセージ整合性手順は既知であり、引用されてこの中に組み込まれた、ＴＳ３３．１０２として概説された３ＧＰＰ標準、第６．５節にさらに詳述される。
【００１６】
セキュリティフィーチャについては、ＭＳ／ＵＥユーザデータは保護される必要がある。そのような保護はセキュリティフィーチャにより提供される。通常、ＭＳ／ＵＥとＢＳＣ／ＲＮＣとはセキュリティ保護のためのデータ暗号化手順に従って情報を処理する。セキュリティフィーチャ手順は既知であり、引用されてこの中に組み込まれた、ＴＳ３３．１０２として概説された３ＧＰＰ標準、第６．６節にさらに詳述される。セキュリティフィーチャは、表示メッセージがＭＳ／ＵＥからＢＳＣ／ＲＮＣに送られる時にＭＳ／ＵＥとＢＳＣ／ＲＮＣとの間をセットアップしてもしなくてもよい。通常、ＭＳ／ＵＥは多くの種々の動作モードを有することができる。ＭＳ／ＵＥは共通チャネル通信から専用チャネル通信に切り換えることができるかまたは専用チャネル通信をすでに存在する共通チャネル通信に付加することができる。したがって、ＭＳ／ＵＥとＢＳ／ＲＮＣとの間にいくつかの通信があった可能性がある。もしもセキュリティフィーチャがメッセージングフロー内で表示メッセージを送る間中イネーブルであったならば、ＭＳ／ＵＥは表示メッセージについてセキュリティフィーチャを提供するために暗号化手順を使用することができる。したがって、この発明の種々の局面に従うと、ＭＳ／ＵＥはメッセージ整合性およびセキュリティフィーチャを提供している間、非常に迅速な手法で共通チャネル通信から専用チャネル通信に切り換えることができるかまたは専用チャネル通信をすでに存在する共通チャネル通信に付加することができる。
【００１７】
ハンドオフ手順は通信システムにおいて周知であり、そして使い古した手順である。ハンドオフ手順は、呼接続を維持している間ＭＳ／ＵＥが１つのカバレッジエリアからもう１つへ移動する可能性があるので、必要である。いくつかのタイプのハンドオフ手順がある。ソフトハンドオフ手順は、ダウンリンク通信が１基地局／ノードＢからもう１つに切り換えられている間にそれによってＭＳ／ＵＥが一般に中断しない手法で通信を受信し続けることができる手順である。ソフタハンドオフ手順は、ダウンリンク通信が１基地局／ノードＢの１つのセクタから同じ基地局／ノードＢのもう１つのセクタに切り換えられている間にそれによってＭＳ／ＵＥが一般に中断しない手法で通信を受信し続けることができる手順である。ＢＳ／ノードＢは通常ＢＳ／ノードＢの全セクタ内の資源の利用度を制御する。したがって、ＭＳ／ＵＥはＤＰＣＨを取得するためのそれの要求メッセージ内のＢＳ／ノードＢの種々のセクタを有するチャネル状態についての情報を含んでもよい。ＢＳ／ノードＢはしたがって最も適したセクタからＤＰＣＨをセットアップするために高速セットアップ資源から割り当てる。ＭＳ／ＵＥがＢＳＣ／ＲＮＣに表示メッセージを送ることに応じて成功したメッセージ整合性手順によりパスした後に、ＢＳＣ／ＲＮＣは取得されたＤＰＣＨがそのＤＰＣＨをセットアップするために使用した初めに使用されたＢＳ／ノードＢよりももう１つのＢＳ／ノードＢによって処理されるのに最も適する可能性がある。そのような場合には、ＭＳ／ＵＥはＤＰＣＨ上での通信のために新しいＢＳ／ノードを使用することを指示される。ＢＳＣ／ＲＮＣは１つのＢＳ／ノードＢからもう１つへのハンドオフ手順を開始することができる。新しいＢＳ／ノードＢ内でＤＰＣＨをセットアップするために使用される資源は、新しいＢＳ／ノードＢでの高速セットアップ資源のプールからのものである必要はない。
【００１８】
この分野の技術者はこの中に開示された実施形態に関して記述された種々の実例となる論理ブロック、モジュール、回路、およびアルゴリズム・ステップは電子ハードウェア、コンピュータ・ソフトウェア、または両者の組合わせとして実施され得ることをさらに認識するであろう。ハードウェアおよびソフトウェアのこの互換性(interchangeability)を明確に説明するために、種々の実例となるコンポーネント、ブロック、モジュール、回路、およびステップは、一般にそれらの機能性の表現で上述された。そのような機能性がハードウェアまたはソフトウェアとして実施されるかどうかはシステム全体に課された特定のアプリケーションと設計の制約とによる。熟練技工は各特定のアプリケーションについて異なる方法で記述された機能性を実施できるが、しかしそのような実施の形態の決定が本発明の範囲からの逸脱を引き起こすと理解されてはならない。
【００１９】
この中に開示された実施形態に関して記述された種々の実例となる論理ブロック、モジュール、および回路は、汎用プロセッサ、ディジタル信号プロセッサ（ＤＳＰ）、特定用途向け集積回路（ＡＳＩＣ）、フィールド・プログラマブル・ゲートアレイ（ＦＰＧＡ）または他のプログラマブル論理装置、ディスクリート・ゲートまたはトランジスタ論理、ディスクリート・ハードウェア・コンポーネント、あるいはこの中に記述された機能を実行するように設計されたそれの任意の組合わせで実施または実行されることができる。汎用プロセッサはマイクロプロセッサであってもよいが、しかし代替案では、プロセッサは任意の従前のプロセッサ、コントローラ、マイクロコントローラ、またはステートマシンであってもよい。プロセッサはまた計算装置、例えば、ＤＳＰとマイクロプロセッサとの組み合わせ、複数のマイクロプロセッサ、ＤＳＰコアとともに１つまたはそれ以上のマイクロプロセッサ、あるいは任意の他のそのような構成構成として実施されてもよい。
【００２０】
この中に開示された実施形態に関して記述された方法のステップまたはアルゴリズムはハードウェアで、プロセッサにより実行されるソフトウェア・モジュールで、または組合わせで直接具体化されることができる。ソフトウェア・モジュールはＲＡＭメモリ、フラッシュ・メモリ、ＲＯＭメモリ、ＥＰＲＯＭメモリ、ＥＥＰＲＯＭメモリ、レジスタ、ハードディスク、着脱可能形ディスク、ＣＤ−ＲＯＭ、あるいはこの分野において既知の任意の他の形式の蓄積媒体に属してもよい。例示的な蓄積媒体はプロセッサに連結され、そのようなプロセッサはこの蓄積媒体から情報を読み取り、それに情報を書き込むことができる。代替案では、蓄積媒体はプロセッサに一体化されることができる。プロセッサと蓄積媒体とは１つのＡＳＩＣ内に存在してもよい。ＡＳＩＣはユーザ端末内に存在してもよい。代替案では、プロセッサと蓄積媒体とはディスクリート・コンポーネントとして１つのユーザ端末内に存在することができる。
【００２１】
好ましい実施形態の前の説明は、この分野の任意の技術者が本発明を製作または使用することを可能にするように提供される。これらの実施形態へのいろいろな変更は、この分野の技術者にはたやすく明白であるだろうし、そしてその中に定義された包括的な原理は発明能力の使用無しに他の実施形態に適用されてもよい。従って、本発明はこの中に示された実施形態に限定されるつもりはなく、しかしこの中に開示された原理および新規な特徴と矛盾しない最も広い範囲が許容されるべきである。
【図面の簡単な説明】
【００２２】
【図１】この発明の種々の実施形態に従って動作することができる通信システムを示す図である。
【図２】通信リンクを確立するための通信システム内のいくつかの運用エンティティ間のメッセージのフローを示す図である。
【図３】この発明の種々の局面に従って通信リンクを確立するための通信システム内のいくつかの運用エンティティ間のメッセージのフローを示す図である。
【符号の説明】
【００２３】
１００…通信システム、１０１，１６０…ＢＳ／ノードＢ、１０２−１０４…ＭＳ／ＵＥ、１０５…有線ネットワーク、１９９…ＢＳＣ／ＲＮＣ
【図１】
0004509117.tif 000002
【図２】
0004509117.tif 000003
【図３】
0004509117.tif 000004